(57)【要約】【課題】水密性を損なうことなく、短時間で施工することができ、また施工費用を抑制することができる防水シート及び防水シートの設置方法を提供する。【解決手段】防水シート本体２を加熱させることなく、粘着部６によって防水シート１を対象物に接着させるので、短時間で防水シート１設置することができる。また防水シート１同士を接合する場合に、表面側接着領域２２ａにおける表面側改質アスファルト層２２及び裏面側接着領域５ａにおける裏面側改質アスファルト層２３を加熱溶融させて、溶融した部分にて互いを接合するので、両者は密着し、水密性を確保することができる。【選択図】図１
2013147856.tif 000002
【特許請求の範囲】
【請求項１】
加熱溶融によって物体に接着する防水シート本体を備える防水シートにおいて、
前記防水シート本体の一面側にて縁部分の少なくとも一部以外に粘着部が設けてあること
を特徴とする防水シート。
【請求項２】
前記粘着部複数が前記一面側に離間して並設してあること
を特徴とする請求項１に記載の防水シート。
【請求項３】
前記防水シート本体の他面側にて縁部分の少なくとも一部以外に装飾部が設けてあること
を特徴とする請求項１又は２に記載の防水シート。
【請求項４】
前記防水シート本体は、
繊維層と、
該繊維層の両面に形成された改質アスファルト層とを有すること
を特徴とする請求項１から３のいずれか一つに記載の防水シート。
【請求項５】
請求項１から４のいずれか一つに記載の防水シートを物体に被覆させる防水シートの設置方法であって、
前記粘着部によって前記防水シートを物体に接着させ、
前記防水シート本体の一面側における前記縁部分を加熱溶融し、
前記一面側における溶融した部分を物体に接着させること
を特徴とする防水シートの設置方法。
【発明の詳細な説明】
【技術分野】
【０００１】
本発明は物体に接着する防水シート本体を備える防水シート及び該防水シートを物体に接着させる防水シートの設置方法に関する。
【背景技術】
【０００２】
建築物の防水性を高める場合、一般的には、建築物の屋上に防水シートを敷設する。特許文献１及び２には、改質アスファルトを備えるトーチ式の防水シートを使用する工法が提案されている。作業者は防水シートの裏面をトーチによって加熱溶融させて、防水シートを屋上に貼着する。トーチ式の防水シートは、防水シート同士を接合する場合、接合部分を加熱して改質アスファルトを溶融して接合するため、防水シート同士が一体化し、水密性が高い。
【０００３】
しかしトーチ式の防水シートは、改質アスファルトが溶融するまでトーチで加熱しなければならず、作業に長時間を要する。またトーチで加熱する作業者はトーチを横方向に往復させながら、改質アスファルトを設けたシートの裏面を加熱するため、中央部分は十分に加熱されるものの、縁部分は往復動作の折り返し部分になるため、縁部分の加熱時間は中央部分に比べて短くなりやすく、改質アスファルトが十分に溶解しない場合がある。そのため防水シート同士の接合が不十分となり、水密性が保てない場合が多々見受けられる。また作業者の技量によっては加熱ムラが生じ、屋上等への接着が不均一となる場合がある。
均一な接着を実現すべく、トーチ式の防水シートを敷設する前段階として、自着式の下貼りシートを敷設し、その後トーチ式の防水シートを敷設することも提案されているが、複数のシートを敷設するため、作業に長時間を要する上、施工費用も嵩む。
【先行技術文献】
【特許文献】
【０００４】
【特許文献１】特許第４０３０１８５号公報
【特許文献２】特許第２９４８６８９号公報
【発明の概要】
【発明が解決しようとする課題】
【０００５】
これに対し、自着式の防水シートを屋根等に敷設することが提案されている。この防水シートは裏面に常温でも粘着性を有する粘着層をストライプ状に設けてあり、該粘着層を屋根等に接着させて、防水シートを敷設する。トーチ式に比べて作業を短時間で終了させることができる上、粘着力が作業者の技量に左右されないため、屋根等に均一に接着させることができる。しかし防水シート同士の接合は、粘着層の粘着力だけでは不十分になりやすく、水密性が担保できない場合がある。水密性を確実に担保するためには、接合補助剤を防水シートの接合部分に別途設けなければならず、作業の長時間化及び施工費用の高騰を招来する。
【０００６】
本発明は斯かる事情に鑑みてなされたものであり、水密性を損なうことなく、短時間で施工することができ、また施工費用を抑制することができる防水シート及び防水シートの設置方法を提供することを目的とする。
【課題を解決するための手段】
【０００７】
本発明に係る防水シートは加熱溶融によって物体に接着する防水シート本体を備える防水シートにおいて、前記防水シート本体の一面側にて縁部分の少なくとも一部以外に粘着部が設けてあることを特徴とする。
【０００８】
本発明においては、防水シート本体を加熱させることなく、粘着部によって防水シートを物体に接着させる。また防水シート同士を接合する場合に、粘着部を設けていない縁部分を加熱溶融させて、溶融した部分にて互いを接合する。
【０００９】
本発明に係る防水シートは前記粘着部複数が前記一面側に離間して並設してあることを特徴とする。
【００１０】
本発明においては帯状の粘着部を防水シート本体の一面側に離間して並設し、防水シートと物体との間に気体が通流する通気路を確保する。
【００１１】
本発明に係る防水シートは前記防水シート本体の他面側にて縁部分の少なくとも一部以外に装飾部が設けてあることを特徴とする。
【００１２】
本発明においては装飾部によって美感性が向上し、また紫外線等を遮断して防水シートの劣化を抑制する。縁部分の少なくとも一部に装飾部を設けないので、装飾部を設けていない他面側の縁部分が加熱によって容易に溶融し、防水シート同士の接合が促進される。
【００１３】
本発明に係る防水シートは前記防水シート本体は、繊維層と、該繊維層の両面に形成された改質アスファルト層とを有することを特徴とする。
【００１４】
本発明においては繊維層の両面に改質アスファルト層を形成することによって、防水及び加熱溶融による両面での接着を実現する。
【００１５】
本発明に係る防水シートの設置方法は、前述したいずれか一つに記載の防水シートを物体に被覆させる防水シートの設置方法であって、前記粘着部によって前記防水シートを物体に接着させ、前記防水シート本体の一面側における前記縁部分を加熱溶融し、前記一面側における溶融した部分を物体に接着させることを特徴とする。
【００１６】
本発明においては、防水シート本体を加熱させることなく、粘着部によって防水シートを物体に接着させる。また防水シート同士を接合する場合に、防水シートの縁部分を加熱溶融させて、溶融した部分にて互いを接合する。
【発明の効果】
【００１７】
本発明に係る防水シート及び防水シートの設置方法にあっては、防水シート本体を加熱することなく、粘着部によって防水シートを物体に接着させるので、短時間で防水シートを設置することができる。また防水シート同士を接合する場合に、防水シートの縁部分を加熱溶融させて、溶融した部分にて互いを接合するので、両者は密着し、水密性を確保することができる。
【図面の簡単な説明】
【００１８】
【図１】実施の形態１に係る防水シートの構成を略示する断面図である。
【図２】剥離紙を剥がした防水シートの裏面を略示する裏面図である。
【図３】防水シートの設置方法を説明する説明図である。
【図４】実施の形態２に係る防水シートの構成を略示する断面図である。
【発明を実施するための形態】
【００１９】
（実施の形態１）
以下本発明を実施の形態１に係る防水シートを示す図面に基づいて詳述する。図１は防水シートの構成を略示する断面図、図２は剥離紙を剥がした防水シートの裏面を略示する裏面図である。
【００２０】
図１に示すように、防水シート１は、繊維層２１、表面側改質アスファルト層２２及び裏面側改質アスファルト層２３からなる防水シート本体２を備える。繊維層２１は合成繊維及びガラスクロス等からなる。繊維層２１の一面（表面）に表面側改質アスファルト層２２が設けてある。表面側改質アスファルト層２２はアスファルトにエラストマーを混合した改質アスファルトからなり、溶融した状態の改質アスファルトを繊維層２１の一面に塗布して形成される。表面側改質アスファルト層２２上には、砂等からなる装飾部３が設けてある。
【００２１】
図１に示すように、装飾部３は表面側改質アスファルト層２２の縁部分（防水シート１の一縁部分）には設けられていない（以下表面側改質アスファルト層２２における装飾部３が設けられていない部分を表面側接着領域２２ａという）。表面側接着領域２２ａには、加熱によって容易に溶解する溶解層４が設けてある。溶解層４は、例えば熱可塑性合成樹脂フィルムからなる。
【００２２】
繊維層２１の他面（裏面）に裏面側改質アスファルト層２３が設けてある。裏面側改質アスファルト層２３はアスファルトにエラストマーを混合した改質アスファルトからなり、溶融した状態の改質アスファルトを繊維層２１の他面に塗布して形成される。裏面側改質アスファルト層２３には、溶解層５が設けてある。溶解層５は、例えば熱可塑性合成樹脂フィルムからなる。
【００２３】
図２に示すように、溶解層５には矩形の粘着部６が適当な間隔を空けて複数並設されている。粘着部６、６、・・・、６は、縦方向及び横方向に少しずつ偏倚するように、縦方向及び横方向に並んでいる。図１及び図２に示すように、粘着部６、６、・・・、６間の空間によって、気体が通流する通気路６０が網目状に形成されている。粘着部６はゴムアスファルトからなる。なお粘着部６は対象物に十分に密着する粘着性を備えていればよく、ゴムアスファルトに限定されない。
【００２４】
粘着部６は、溶解層５において、前記表面側接着領域２２ａと反対側に位置する縁部分（防水シート１の他縁部分）に設けられていない（以下溶解層５における粘着部６が設けられていない部分を裏面側接着領域５ａという）。なお粘着部６は互いに離間していればよく、その形状は矩形に限定されない。例えば円形であってもよい。
【００２５】
複数の粘着部６全体を覆うように、粘着部６には剥離紙７が設けてある。剥離紙７は、例えばポリエステルフィルムからなり、施工前に粘着部６が物体に接着することを防止する。なお剥離紙７は、粘着部６の物体への接着を防止することができるものであればよく、ポリエステルフィルムに限定されない。
【００２６】
次に防水シート１の設置方法について説明する。図３は防水シート１の設置方法を説明する説明図である。
まず一の防水シート１の剥離紙７を接着部から剥がし、防水工事を施工する対象物（例えば屋上）に接着部を接着させる。このとき表面側接着領域２２ａを対象物の縁部分に沿わせて、一の防水シート１を対象物に貼着させる。次に他の防水シート１の剥離紙７を接着部から剥がし、一の防水シート１の裏面側接着領域５ａの下側に表面側接着領域２２ａが位置するように、他の防水シート１の接着部を対象物に接着させる。
【００２７】
そして一の防水シート１における裏面側接着領域５ａ及び他の防水シート１における表面側接着領域２２ａをトーチ又はバーナ等で加熱し、溶解層４及び表面側改質アスファルト層２２、並びに溶解層５及び裏面側改質アスファルト層２３を溶融させ、表面側改質アスファルト層２２及び裏面側改質アスファルト層２３を圧着して接合する。
【００２８】
また他の防水シート１における裏面側接着領域５ａを加熱して溶融させ、対象物に接着させる。また表面側接着領域２２ａ側における一の防水シート１の縁部分を加熱し、表面側改質アスファルト層２２及び裏面側改質アスファルト層２３を溶融させて、一の防水シート１と対象物との隙間を埋める。なお必要に応じて、表面側接着領域２２ａ側における一の防水シート１の縁部分に粘着シートを別途設けて、一の防水シート１と対象物との隙間を確実に埋めてもよい。
【００２９】
実施の形態１に係る防水シート１及び防水シート１の設置方法にあっては、防水シート本体２を加熱させることなく、粘着部６によって防水シート１を対象物に接着させるので、短時間で施工を実施することができる。また防水シート１同士を接合する場合に、表面側接着領域２２ａにおける表面側改質アスファルト層２２及び裏面側接着領域５ａにおける裏面側改質アスファルト層２３を加熱溶融させて、溶融した部分にて互いを接合するので、両者は密着し、水密性を確保することができる。
【００３０】
また帯状の粘着部６を防水シート本体２の一面側に間隔を空けて並設し、防水シート１と対象物との間に気体が通流する通気路６０を設けているので、対象物に含まれる水分が気化した場合に、気化した水蒸気は通気路６０を通流して外部に排出され、防水シート１が膨れ上がることを防止することができる。
【００３１】
また装飾部３によって美感性が向上し、紫外線等を遮断して防水シート１の劣化を抑制することができる。また表面側接着領域２２ａに装飾部３を設けないので、一面側の縁部分が加熱によって容易に溶融し、防水シート１同士の接合が促進される。また改質アスファルト層を防水シート本体２に使用することによって、防水及び加熱溶融による接着を実現することができる。
【００３２】
防水シートを設置する場合、従来であれば通気層を有する下張りのシートを設置した後、防水層を有する上張りのシートを下張りのシートに重畳させていた。換言すれば少なくとも２枚のシートを設置する必要があったが、実施の形態１に係る防水シートは１枚のシートで防水性及び通気性を発揮するため、従来に比べて工期の短縮及び工事費の削減を図ることができる。また防水シート同士の接合部分に接合補助剤を別途設ける必要もないので、従来に比べて工期の短縮及び工事費の削減を図ることができる。
【００３３】
なお実施の形態１において表面側接着領域２２ａ（装飾部３を設けていない領域）が存在するが、表面側改質アスファルト層２２上全体に装飾部３を設け、表面側接着領域２２ａを設けない構成としてもよい。この場合、防水シート１、１同士の接着は、一の防水シート１における溶融させた裏面側接着領域５ａを、他の防水シート１における装飾部３に圧着して行う。
【００３４】
（実施の形態２）
以下本発明を実施の形態２に係る図面に基づいて詳述する。図４は防水シート１の構成を略示する断面図である。
図４に示すように、裏面側接着領域５ａを残して、溶解層５に粘着部１６が全体的に設けてある。そのため防水シート１の粘着力を向上させることができる。なお実施の形態２に係る防水シート１の構成の内、実施の形態１と同様な構成については同じ符号を付し、その詳細な説明を省略する。
【００３５】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【００３６】
１  防水シート
２  防水シート本体
２１  繊維層
２２  表面側改質アスファルト層
２２ａ  表面側接着領域
２３  裏面側改質アスファルト層
３  装飾部
４、５  溶解層
５ａ  裏面側接着領域
６、１６  粘着部
７  剥離紙
６０  通気路
【図１】
2013147856.tif 000003
【図２】
2013147856.tif 000004
【図３】
2013147856.tif 000005
【図４】
2013147856.tif 000006
【手続補正書】
【提出日】平成25年3月25日(2013.3.25)
【手続補正１】
【補正対象書類名】明細書
【補正対象項目名】０００７
【補正方法】変更
【補正の内容】
【０００７】
本発明に係る防水シートは、加熱溶融によって物体に接着する防水シート本体を備える防水シートにおいて、前記防水シート本体は、繊維層と、該繊維層の両面に形成された改質アスファルト層とを有し、各改質アスファルト層それぞれにフィルム状の溶解層を設けてあり、一方の溶解層に複数の粘着部が縦方向及び横方向に離間させて並設してあり、前記粘着部の間に気体が通流する通気路が網目状に形成され、前記通気路を通流した気体が外部に排出されるようにしてあり、他方の溶解層にて、前記防水シート本体の一縁部分以外に装飾部が設けてあり、前記一方の溶解層にて、前記一縁部分の反対側に位置する前記防水シート本体の他縁部分に前記粘着部を設けていないことを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１５
【補正方法】変更
【補正の内容】
【００１５】
本発明に係る防水シートの設置方法は、前述した防水シートを物体に被覆させる防水シートの設置方法であって、前記粘着部によって前記防水シートを物体に接着させ、前記一方の溶解層側における前記他縁部分を加熱溶融し、前記一方の溶解層側における溶融した部分を物体に接着させることを特徴とする。
【手続補正６】
【補正対象書類名】特許請求の範囲
【補正対象項目名】全文
【補正方法】変更
【補正の内容】
【特許請求の範囲】
【請求項１】
加熱溶融によって物体に接着する防水シート本体を備える防水シートにおいて、
前記防水シート本体は、
繊維層と、
該繊維層の両面に形成された改質アスファルト層と
を有し、
各改質アスファルト層それぞれにフィルム状の溶解層を設けてあり、
一方の溶解層に複数の粘着部が縦方向及び横方向に離間させて並設してあり、
前記粘着部の間に気体が通流する通気路が網目状に形成され、前記通気路を通流した気体が外部に排出されるようにしてあり、
他方の溶解層にて、前記防水シート本体の一縁部分以外に装飾部が設けてあり、
前記一方の溶解層にて、前記一縁部分の反対側に位置する前記防水シート本体の他縁部分に前記粘着部を設けていないこと
を特徴とする防水シート。
【請求項２】
請求項１に記載の防水シートを物体に被覆させる防水シートの設置方法であって、
前記粘着部によって前記防水シートを物体に接着させ、
前記一方の溶解層側における前記他縁部分を加熱溶融し、
前記一方の溶解層側における溶融した部分を物体に接着させること
を特徴とする防水シートの設置方法。